(57)【要約】【課題】不正工作が行われたことを確実に検出するとともに、該不正工作に基づいて遊技機から不当に遊技球を獲得する不正行為を信頼性高く防止できる遊技機を提供する。【解決手段】当該遊技機の表面を構成する表面構成部材（前面枠１１、ガラス枠１３、前面開閉パネル１５等）における所定部位に、前記表面構成部材の所定部位の破損に伴って破損して電気容量が変化するコンデンサ（センサヘッド８１）を配設し、前記コンデンサの電気容量の変化を監視して不正を検出する不正検出手段（検出回路８２）を設ける。【選択図】図９
2007105362.tif 000002
【特許請求の範囲】
【請求項１】
遊技機の表面を構成する表面構成部材と、遊技機内部もしくは遊技機裏面側にあって不正から保護される保護領域と、を備える遊技機において、
前記表面構成部材と前記保護領域との間隙に、前記表面構成部材の所定部位を破損させることによる不正工作部材の前記間隙への進入に伴って破損して電気容量が変化するコンデンサを配設し、
前記コンデンサの電気容量の変化を監視して不正を検出する不正検出手段を備えたことを特徴とする遊技機。
【請求項２】
前記表面構成部材は、合成樹脂製の部材であることを特徴とする請求項１に記載の遊技機。
【請求項３】
前記コンデンサは、シート状であることを特徴とする請求項１又は２に記載の遊技機。
【請求項４】
前記コンデンサは、相互に接続された複数の帯状の電極Ａと、相互に接続された複数の帯状の電極Ｂとが、交互に並んで配置されてなることを特徴とする請求項１〜３の何れかに記載の遊技機。
【請求項５】
前記相互に接続された複数の帯状の電極Ａと、相互に接続された複数の帯状の電極Ｂは、該コンデンサの長手方向に沿って帯状であることを特徴とする請求項４に記載の遊技機。
【請求項６】
前記コンデンサは、対をなすシート状の電極Ａ，Ｂが収納部材内に間隔をおいて重ねて配置され、前記収納部材内に絶縁性液体が充填されてなることを特徴とする請求項１〜３の何れかに記載の遊技機。
【発明の詳細な説明】
【技術分野】
【０００１】
本発明は、パチンコ機などの遊技機に関するものである。
【背景技術】
【０００２】
従来のパチンコ機などの遊技機は、遊技島側に固定される機枠に対して、遊技盤が取り付けられる前面枠を開閉可能に軸着するとともに、金属製のガラス枠（透明部材としてのガラスを保持する透明部材保持枠）を前記前面枠に対して開閉可能に軸着し、ガラス（透明部材）を介して遊技盤の遊技領域を視認可能にして遊技を行えるようにしていた。また、遊技盤を収納した前記前面枠の前側（ガラス枠の下方）に、上皿（遊技機から貸球又は賞球として排出された遊技球を貯留し遊技に使用すべく遊技機に供給する供給皿）を備えた前面開閉パネルが一側端を軸心としてやはり開閉自在に取り付けられていた。
ここで、例えば上記前面枠は、一般的には合板を額縁状に組み付けることにより構成されていたところ、良質な木材資源の減少や自然保護が叫ばれている状況などを背景にして、前面枠をプラスチック（合成樹脂）により成形するようになってきている。また、近年のガラス枠（透明部材保持枠）の傾向としては、装飾性を向上させる目的で金属ではなくやはり合成樹脂により形成するようになってきており、前面開閉パネルも同様に合成樹脂により形成するようになってきている。
【０００３】
そして、従来の前面枠等を単にプラスチック製にしただけでは、プラスチックが熱に弱いので、熱したピアノ線をプラスチックに穴を開けるように差し込んで不正行為が行われる虞が多分にあること、また前面枠等をプラスチック製にすると、補強リブを設けたとしても充分な強度を得ることが困難であることを課題にして、例えば、窓部を有する額縁状の前面枠をプラスチックにより成形し、該前面枠の一側を蝶番により機枠に開閉可能に取り付け、前面枠の自由端側の裏面には施錠装置の金属製ベース板を添設し、その他の遊技盤裏面に金属製不正防止板を添設した遊技機の提案がある（特許文献１）。
【０００４】
【特許文献１】特開平４−３０９３８９号公報
【発明の開示】
【発明が解決しようとする課題】
【０００５】
しかしながら、金属製不正防止板を添設した遊技機であっても、ドリル等の工具を用いて不正工作を行うものが出現するにいたった。いくら万全と思われる防止方法をとっても、その裏をかく悪意ある不正工作者を完全に排除することは現実的には極めて困難である。ドリル対策として厚板の金属板を設けることもできるが、コストアップになるばかりか、遊技機の重量が徒に大きくなってしまい取り扱いや輸送に不便である。
また、一旦不正工作が可能な状態に細工されると、遊技店としてその不正工作に気付きにくいという問題があった。
なお、不正工作に使われるピアノ線等が導電性の部材であることを利用して、例えば前面枠に刺し込まれるピアノ線等を検出する導体検出センサを設けることが考えられるが、その場合には、ピアノ線等を樹脂コーティングするなどして導体検出ができないように工夫され、不正工作が為されてしまう虞がある。
そこで本発明は、不正工作が行われたことを確実に検出するとともに、該不正工作に基づいて遊技機から不当に遊技球を獲得する不正行為を信頼性高く防止できる遊技機の提供を目的とする。
【課題を解決するための手段】
【０００６】
本願請求項１に記載の遊技機は、遊技機の表面を構成する表面構成部材と、遊技機内部もしくは遊技機裏面側にあって不正から保護される保護領域と、を備える遊技機において、
前記表面構成部材と前記保護領域との間隙に、前記表面構成部材の所定部位を破損させることによる不正工作部材の前記間隙への進入に伴って破損して電気容量が変化するコンデンサを配設し、
前記コンデンサの電気容量の変化を監視して不正を検出する不正検出手段を備えたことを特徴とする。
ここで、「表面構成部材」とは、例えばパチンコ機における前面枠、ガラス枠、前面開閉パネル等を意味する。また「所定部位」とは、例えばハンダゴテ等によって穴を開けてピアノ線等をそこから挿入することによって、遊技機を不正に操作する不正行為が行われる可能性のある箇所を意味する。また、「破損」とは、ハンダゴテ等によって穴が開けられるなどの不正工作によるものを意味する。
また、「保護領域」とは、保護対象を有する領域である。保護対象としては、（ａ）遊技球が流下転動する遊技領域内の障害釘（特に各入賞口又は入賞装置上方にあって遊技球の入賞を案内又は規制する釘）、（ｂ）遊技球が流下転動する遊技領域内の各入賞装置可動片（チューリップ式役物又は電動役物の可動片、羽根又はアタッカー等）、（ｃ）遊技球の入賞検出を行う入賞検出機構、（ｄ）賞球・貸玉排出を行う排出機構、（ｅ）入賞装置駆動機構などがあり得る。ここで、各保護対象に対する不正工作としては、次のようなものがあり得る。即ち、（ａ）は釘曲げにより入賞率を高める不正工作、（ｂ）は可動片を開放させて遊技球を入賞させる不正工作、（ｃ）は遊技球の複数回検出などの誤検出を促す不正工作、（ｄ）は排出機構のカム又はスプロケット等を動作させる等の不正工作、（ｅ）は入賞装置駆動機構のモータ、ソレノイド、リンク機構への働きかけによる不正工作、があり得る。
なお保護領域は、通常は、外部から直接作用できないようガラス枠、前面枠等で保護されている。また、上述した保護領域は、遊技盤前面側の遊技領域への侵入［上記（ａ）、（ｂ）など］と、遊技盤裏面側の裏機構部への侵入［上記（ｃ）、（ｄ）、（ｅ）］と、に大別できる。
また、「間隙」とは、不正検出用の前記コンデンサの配設空間が確保されていればよく、各種構成部品同士の接合面に前記コンデンサを配設する場合には当該配設領域を含む概念である。
【０００７】
なお、本発明の好ましい態様として、例えば請求項２に記載のように、前記表面構成部材は、合成樹脂製の部材である構成でもよい。
また、例えば請求項３に記載のように、前記コンデンサが、シート状である構成としてもよい。
また、例えば請求項４に記載のように、前記コンデンサが、相互に接続された複数の帯状の電極Ａと、相互に接続された複数の帯状の電極Ｂとが、交互に並んで配置されてなる構成としてもよい。
また、例えば請求項５に記載のように、前記相互に接続された複数の帯状の電極Ａと、相互に接続された複数の帯状の電極Ｂは、該コンデンサの長手方向に沿って帯状である構成としてもよい。
また、例えば請求項６に記載のように、前記コンデンサが、対をなすシート状の電極Ａ，Ｂが収納部材内に間隔をおいて重ねて配置され、前記収納部材内に絶縁性液体が充填されてなる構成としてもよい。
【発明の効果】
【０００８】
請求項１に記載の遊技機によれば、表面構成部材の不正工作による破壊に伴い、表面構成部材に設けられたコンデンサが破壊され、これによる前記コンデンサの容量変化に基づいて不正検出手段が不正を検出する。このため、ピアノ線等を樹脂コーティングするなどして導体検出ができない場合であっても不正検出が可能であり、不正工作が行われたことを確実に検出することができる。したがって、該不正工作に基づいて遊技機から不当に遊技球を獲得する不正行為を信頼性高く防止できる。
なお、表面構成部材は、必ずしも合成樹脂製でなくても効果があるが、請求項２に記載したように、合成樹脂製である場合には、ハンダゴテ等による不正工作がされ易いので特に有用性が高い。
【０００９】
また、請求項３に記載の遊技機では、前記コンデンサが、シート状である。このため、一つのコンデンサで不正行為を検出できる面積が広くなり、不正防止の実効性や実用性がより高まる。
また、請求項４に記載の遊技機では、前記コンデンサは、相互に接続された複数の帯状の電極Ａと、相互に接続された複数の帯状の電極Ｂとが、交互に並んで配置されてなる。このため、例えば不正工作によって穴が開けられると、その部分の電極Ａ，Ｂの連続性が破断されることで、その穴が開けられた領域を含む長方形領域（各電極の長手方向全体に拡がる領域）の約半分が無効になり、コンデンサとしての容量が格段に低下する。このため、容量変化に基づく不正検出の判定（不正工作が行われたか否かの判定）が、容易になり、その応答性や信頼性も高く実現できる。
【００１０】
また、請求項５に記載の遊技機では、前記帯状の電極Ａ，Ｂの向き（長手方向）を、該コンデンサの長手方向としているから、不正工作時の無効領域が特に大きくなり、検出性能が向上する。
また、請求項６に記載の遊技機では、前記コンデンサは、対をなすシート状の電極Ａ，Ｂが収納部材内に間隔をおいて重ねて配置され、前記収納部材内に絶縁性液体が充填されてなる。このため、穴を開ける等の不正工作が行われた場合、電極Ａ，Ｂが破壊される前に、収納部材が破壊され、この収納部材内の絶縁性液体が収納部材から漏れ出し、この時点でコンデンサとしての容量が格段に低下する。このため、容量変化に基づく不正検出の判定（不正工作が行われたか否かの判定）が、容易になり、その応答性や信頼性も高く実現できる。
【発明を実施するための最良の形態】
【００１１】
以下、本発明の実施の形態として、パチンコ装置に適用した場合の形態例を、図面を参照して説明する。
（第１形態例）
まず、第１形態例を説明する。
Ａ．パチンコ装置の正面構成及び全体構造
まず図１及び図３により、本例のパチンコ装置（遊技機）の正面構成及び全体構造について説明する。図１は、パチンコ機の正面図であり、図３は、前面枠とガラス枠と前面開閉パネルを開けた状態を示す斜視図である。
このパチンコ装置は、例えば、いわゆるＣＲ機（カードリーディング機）と称されるもので、大きく分けてパチンコ機２（遊技機本体）と、カード式球貸機（図示省略）とによって構成され、これらが対をなして設置される。カード式球貸機には、カードリーダライタが内蔵され、前面には磁気カード又はＩＣカードなどのカードが挿入されるカード挿入口等が設けられている。
【００１２】
パチンコ機２は、前面枠１１がこの前面枠１１の裏面側に配された機枠１２に対して開閉自在に軸着され、遊技領域が形成された遊技盤１０（図２に示す）は、この前面枠１１の上側の遊技盤収納部１１ａに取付けられる。また、この前面枠１１には、その前面上側を覆うようにガラス枠１３（透明部材保持枠）が開閉自在に取付けられ、このガラス枠１３により保持されるガラス板１４（透明のプラスチックボードでもよい）を介して遊技盤１０の後述する遊技領域３３が視認可能となっている。なお、ガラス枠１３は、前面枠１１に開閉可能に軸着されている。
また、このガラス枠１３の下側には、前面開閉パネル１５が配置され、前面枠１１に対して開閉自在に軸着されている。さらに、この前面開閉パネル１５の下側には、操作パネル１６が前面枠１１に対して通常は固定状態に設けられている。
なおここで、前面枠１１、ガラス枠１３、ガラス板１４、前面開閉パネル１５、操作パネル１６などが、本発明の表面構成部材に相当する。
【００１３】
また、遊技盤１０は、板状の基材の前面に障害釘を植設したもので、この遊技盤１０の前面には、球を上方から落下させつつアウトあるいはセーフの判定（入賞したか否かの判定）を行う領域（後述する遊技領域３３）が形成され、入賞口などの入賞領域に遊技球が入って有効にセーフとなる場合は、所定数の遊技球が前面開閉パネル１５に設けられた上皿１７に排出される（即ち、賞球として排出される）構成となっている。
前面枠１１の開閉側（図１において右側）の縁部には、前面枠１１及びガラス枠１３の施錠装置（図示省略）の鍵挿入部２１が形成されている。
【００１４】
また、前面開閉パネル１５に設けられた上皿１７は、賞球として又は貸球として排出された発射前の遊技球を一時保持し、これら遊技球を前面枠１１の裏面下側に設けられた発射ユニット７８（図８に示す）への球送り装置２２（図３及び図５に示す）に順次供給するもので、この上皿１７には、上皿１７の遊技球を後述の下皿２６に移す玉通路開閉用の上皿球抜きレバー２４が設けられている。また、上皿１７の前面（上皿球抜きレバー２４の横）には、前述のカード式球貸機から貸球の排出を行うための球貸スイッチ２３ａと、カード式球貸機からカードの排出を行うためのカード返却スイッチ２３ｂと、カード残高を表示する表示器２３ｃが配設されている（図４参照）。
【００１５】
また、操作パネル１６には、灰皿２５と、下皿２６と、下皿２６に貯留された球を外部下方に抜くための下皿球抜きレバー２７と、前記発射ユニットの操作を行う発射操作ハンドル２８とが設けられている。
また、図３において符号１８で示すものは、前面枠１１の裏側に設けられた裏機構盤であり、図３において符号１９で示すものは、裏機構盤１８の上部に設けられた球貯留タンクである。パチンコ機２を設置する島設備側から適宜供給される遊技球がこの球貯留タンクに貯留され、この球貯留タンク内の遊技球が、パチンコ機２における賞球として又は貸球として排出される。そして、こうして排出された遊技球は、前面枠１１の下部（遊技盤収納部１１ａの底辺付近）に設けられた排出球誘導領域２０（この場合矩形状の遊技球流路開口部）を経由して遊技者側（上皿１７の方）に誘導される構成となっている。
【００１６】
Ｂ．遊技盤の正面構成
次に、図２により遊技盤１０の正面構成を説明する。
図２において、遊技盤１０の前面には、略円形領域がガイドレール３２で囲まれることにより遊技領域３３が形成されている。
この遊技領域３３には、識別情報（以下、場合により特図という）を複数の変動表示領域毎に変動表示したり、演出用画像を表示したりするための表示画面３４ａを有する表示装置３４と、開閉扉３５ａにより開閉される大入賞口３５ｂを有する特別変動入賞装置３５と、左右一対の開閉部材３６ａを有し特図始動口（特図の変動表示の始動条件となる入賞口）として機能する普通変動入賞装置３６と、この場合普通変動入賞装置３６の上側に設けられ後述する普通図柄（以下、場合により普図という）を表示する普図表示器（普通図柄表示器）３７と、スルーチャッカー形式の普図始動口（普図の変動表示の始動条件となる入賞口）３８と、複数の一般入賞口（符号省略）と、打球方向変換部材である複数の風車３９と、サイドランプ４１，４２と、アウト穴４３とが備えられている。
また、表示装置３４の周囲には、センターケース４４が配設されている。
なお、図２において符号３６ｂは、普通変動入賞装置３６の開閉部材３６ａが大きく開いた状態を示している。
【００１７】
そして、普通変動入賞装置３６内の入賞流路には特図始動センサ５１（図７に示す、以下同様）が、普図始動口３８内の通過流路には普図始動センサ５２が、特別変動入賞装置３５の大入賞口３５ｂ内にはカウントセンサ５３がそれぞれ設けられている。また、一般入賞口に入賞した遊技球を検出するセンサとしては、入賞口センサＬ５４と入賞口センサＲ５５が設けられている。
【００１８】
ここで、表示装置３４は、カラーで静止画及び動画が表示可能な、例えば液晶ディスプレイ（ＬＣＤ）であり、ＣＲＴであってもよい。
また、本例の普図表示器３７は、例えば、一桁の数字を表示する７セグメントの表示部を有し液晶又はＬＥＤ等よりなる表示器であり、この場合前記普通図柄（普図）は、一桁の数字である。
また、特図始動センサ５１は、普通変動入賞装置３６に入賞した遊技球を１個ずつ検出し、普図始動センサ５２は、普図始動口３８を通過する遊技球を１個ずつ検出する。また、一般入賞口に入賞した遊技球は、入賞口センサＬ５４又は入賞口センサＲ５５のうちの何れか一方によって検出される構成となっている。
【００１９】
なお、遊技盤１０の遊技領域３３には、通常天釘やヨロイ釘といった多数の障害釘が設けられるが、ここでは繁雑になるので図示省略している。また、同様に図示省略しているが、遊技盤１０には、その他の各種装飾ランプや、ＬＥＤ等が設けられていてもよい。
また本発明では、遊技盤における遊技領域はどのようなものでもよく、任意の構成を取り得る。パチンコ機以外の遊技機であってもよい。なお、本例ではいわゆる「第１種」に属するパチンコ機に適用した例を説明する。
【００２０】
Ｃ．前面開閉パネルの構成
次に、前面開閉パネル１５の構成を説明する。
図４は、前面開閉パネル１５の斜視図であり、図５は、前面開閉パネル１５の裏面斜視図である。
前面開閉パネル１５は、パネル本体６１と、このパネル本体６１の前面に取り付けられる前面板６２と、パネル本体６１の裏面右側（正面から見て左側）に取り付けられる連結ユニット６３と、を備える。なお、パネル本体６１や前面板６２や連結ユニット６３は、合成樹脂によって形成されている。また、前述の球送り装置２２は、図５に示す如く、パネル本体６１の裏面左側に取り付けられる。また、上皿１７（供給皿）は、前面板６２の前面に例えば合成樹脂の一体成形によって形成されている。
【００２１】
この前面開閉パネル１５のパネル本体６１と前面板６２には、上皿１７内に遊技球を排出する球排出口６４が形成されている。そして図５に示すように、連結ユニット６３は、この球排出口６４に対して取付部材６５によって取り付けられ、その内部の空間が、前記球排出口６４と排出球誘導領域２０とを連通させる連通路６３ａを構成している。即ち、前面開閉パネル１５を閉じた通常状態では、連結ユニット６３の前面側が球排出口６４に接続され、連結ユニット６３の裏面側が排出球誘導領域２０に接続され、連結ユニット６３を介して球排出口６４と排出球誘導領域２０とが連通する構成（即ち、排出球誘導領域２０から流出する遊技球が連結ユニット６３内（連通路６３ａ）を経由して球排出口６４から上皿１７内に排出される構成）となっている。
なお、連結ユニット６３は、ワンタッチで取付け取外し可能な取付部材６５によって、容易に前面開閉パネル１５に対して着脱可能となっている。
また、本例の遊技盤１０に対して行われ易い不正としては、前面開閉パネル１５に穴を開け、この穴からピアノ線等を差し込むことによって、特別変動入賞装置３５の開閉扉３５ａや普通変動入賞装置３６の開閉部材３６ａを無理やり開ける不正、或いは、普通変動入賞装置３６の上方近傍の障害釘を無理やり曲げる不正があり得る。この場合、特別変動入賞装置３５や普通変動入賞装置３６、或いは普通変動入賞装置３６の上方近傍の障害釘が本発明の保護領域に相当する。
【００２２】
Ｄ．制御系の構成
次に、本例のパチンコ機の制御系統について、図７及び図８を参照して説明する。図７は制御系統全体のブロック図であり、図８は発射制御装置に関連する制御系を示すブロック図である。
図７において、遊技制御装置１００は、遊技の総括的制御（遊技進行の制御やそのための各被制御機器の直接的又は間接的な制御含む）を行う制御装置であり、パチンコ遊技等に必要な役物制御を行うワンチップマイコンからなる遊技用マイコン１０１（遊技用マイクロコンピュータ：いわゆるアミューズチップ用のＩＣとして製造）と、入力インターフェース１０２と、出力インターフェース１０３と、外部通信端子１０４を含んで構成されている。遊技用マイコン１０１は、ＣＰＵ１０５、ＲＯＭ１０６、ＲＡＭ１０７を含む。
【００２３】
ここで、遊技制御装置１００の入力インターフェース１０２には、特図始動センサ５１、普図始動センサ５２、カウントセンサ５３、入賞口センサＬ５４、及び入賞口センサＲ５５からの検出信号が入力される。
一方、遊技制御装置１００の出力インターフェース１０３からは、前述の普図表示器３７、始動入賞口３６のチューリップ型の開閉部材３６ａを駆動する普電ソレノイド７１、大入賞口３５ｂの開閉扉３５ａを駆動する大入賞口ソレノイド（大入賞口ＳＯＬ）７２、遊技店の管理装置に対して盤用外部情報（例えば、大当り信号等）を送信するための盤用外部端子７３に信号が出力される。
【００２４】
また、出力インターフェース１０３からは、排出制御装置７４に対して、賞球データ等の信号が出力される。即ち、遊技制御装置１００は、遊技盤１０の各入賞口に対して設けられた特図始動センサ５１，カウントセンサ５３、入賞口センサＬ５４、又は入賞口センサＲ５５により遊技球の入賞が検出されると、入賞口の入賞価値に対応して予め設定された賞球数の情報（賞球データ）を、排出制御装置７４へ送信する。そして、排出制御装置７４では、この賞球データを受信して、それに応じた賞球排出制御を行う。
また、出力インターフェース１０３からは、前述の表示装置３４等を制御する表示制御装置１１０に対して、制御情報（表示制御コマンド）が送信される。
【００２５】
次に、表示制御装置１１０は、表示装置３４の画像表示制御等を実行する制御装置であり、やはりＣＰＵ１１１を含むマイクロコンピュータよりなり、遊技制御装置１００から送信される制御情報に基づき表示装置３４などを制御する。例えば、変動表示ゲームを実行する際には、遊技制御装置１００から停止図柄の組み合わせ（結果態様）のデータと、変動時間のデータとを含む表示制御情報が、この場合送信される構成となっており、表示制御装置１１０では、この停止態様と変動時間を満足する変動態様を選択して、表示装置３４に特図（識別情報）を変動表示させて最終的に特定の図柄の組合せ（結果態様）を導出表示する変動表示ゲームを行う構成となっている。なお、表示制御装置１１０の制御で実際に実施される特図の変動表示の態様（変動態様）は、遊技制御装置１００からの表示制御情報によって一義的に決定されてもよいが、上記表示制御情報で与えられた条件の範囲で、表示制御装置１１０が乱数抽出などによって変動態様を最終的に選択する構成（表示制御装置１１０にも変動態様を選択するある程度の裁量が与えられた構成）となっていてもよい。
【００２６】
また、表示制御装置１１０は、図７のように、ＣＰＵ１１１、制御用プログラムや固定データを記憶するＲＯＭ１１２、ＣＰＵ１１１の作業領域を提供したり遊技制御装置１００から送信される制御情報を記憶するＲＡＭ１１３、通信インターフェース１１５、表示装置３４を表示駆動するＧＤＰ（グラフィックディスプレイプロセッサ）１１６、画像や文字等の表示データを格納した画像ＲＯＭ１１７から構成される。
【００２７】
ここで、通信インターフェース１１５を介して遊技制御装置１００から表示制御情報が入力されると、表示制御装置１１０は次のように表示制御を行う。まず、通信インターフェース１１５からＣＰＵ１１１に対して受信割込みがかかり、これに応じてＣＰＵ１１１は表示制御情報を受信してＲＡＭ１１３に格納する。そして、ＣＰＵ１１１は、受信した表示制御情報を解析し、例えば特図の変動表示の場合であれば、それに含まれる結果態様や変動時間の情報に基づいて、変動表示の内容を決定し、その変動表示を実現する表示データ（表示する図柄のコードや表示位置データやスクロールなどのコマンド等よりなるデータ）を生成してＲＡＭ１１３に格納する。
次いでＧＤＰ１１６は、ＲＡＭ１１３の上記表示データを内部ＲＡＭに読み込み展開する。即ち、表示する特図や演出図柄やキャラクタのコードに対応して画像ＲＯＭ１１７に格納されているキャラクタフォントデータを読み出し、表示位置データ等に従って表示すべき画像データ（背景画像含む）を生成して内部ＲＡＭの表示画像格納領域に格納する。
その後ＧＤＰ１１６は、前記表示画像格納領域から画像データを読み出して表示装置３４の表示駆動信号を形成する。これによって、表示装置３４の表示画面３４ａ上に所定の表示が行われる。
【００２８】
なお、表示制御装置１１０は、音制御装置７５を介して当該遊技機のスピーカ（図示省略）を制御して所定の音響効果を実現し、装飾制御装置７６を介して各種ランプ（例えば、サイドランプ４１，４２など）の点灯制御も実行する。
【００２９】
次に、図８によって発射制御装置７７の制御系を説明する。発射制御装置７７は、発射ユニット７８の発射モータ（遊技球を打ち込むモータ、図示省略）を制御する装置であり、排出制御装置７４と、発射ユニット７８と、ハンドルユニット７９と、不正検出センサ８０とに接続されている。
ここで、ハンドルユニット７９は、発射操作ハンドル２８を含むユニットであり、発射操作ハンドル２８に人体（遊技者の手）が接触したことを検出するタッチセンサ（図示省略）と、遊技者が操作する発射停止スイッチ（図示省略）とを備える。
【００３０】
また、発射制御装置７７は、排出制御装置７４からの発射許可信号が入力されている状態で、上記タッチセンサが人体を検出すると、発射停止スイッチが操作されていない限り、上記発射モータを駆動し遊技球を打ち込む制御を実行する。そして発射制御装置７７は、上記発射モータを駆動しているときに、排出制御装置７４からの発射許可信号が入力されなくなるか、発射停止スイッチが操作された信号が入力されると、上記発射モータの駆動を強制停止する。
なお、不正検出センサ８０については後述するが、不正検出センサ８０によって不正が検出されると、発射制御装置７７が上記発射モータの駆動を強制停止する構成としてもよい。
また、不正検出センサ８０には不正報知手段２００（例えば、遊技場の管理装置）が接続され、不正検出センサ８０が不正を検出して不正検出信号を出力すると、不正報知手段２００によって不正の発生が表示又は音声によって例えば遊技店の店員に報知される。なお、不正検出センサ８０から出力される不正検出信号は、遊技制御装置１００、表示制御装置１１０、排出制御装置７４、或いは音制御装置７５に入力されて、不正発生の報知などに利用されてもよい。
【００３１】
Ｅ．不正を検出するための構成
次に、不正を検出するための構成について、図６及び図９〜図１１を参照して説明する。
図６は、不正検出センサ８０のセンサヘッド８１（コンデンサ）を示す斜視図である。図９（ａ）は不正検出センサ８０の回路図、図９（ｂ）は不正検出センサ８０の等価回路の回路図である。また、図１０は不正検出センサ８０の原理を説明する図である。
不正検出センサ８０は、図９（ａ）に示すように、センサヘッド８１と検出回路８２（不正検出手段）を備え、交流電源８３によって電気的に駆動される。
【００３２】
不正検出センサ８０のセンサヘッド８１は、前面開閉パネル１５のパネル本体６１の裏面、又は前面開閉パネル１５の前面板６２の裏面（前面板６２とパネル本体６１の間）に貼り付けられる全体として長方形のシート状のもので、図６に示すように、前面開閉パネル１５の球排出口６４などに対応する不要な箇所は切り取られた形状となっている。このセンサヘッド８１は、図６に示すように、２枚の絶縁性シート８４，８５を重ねた積層構造となっており、一方の絶縁性シート８４の一面側（他方の絶縁性シート８５で覆われる側）に、薄膜帯状の電極８６Ａ（電極Ａ）と電極８６Ｂ（電極Ｂ）が交互に複数一定ピッチで配置されている。またこのセンサヘッド８１は、前面開閉パネル１５の破壊（穴あけなど）に伴って容易に壊れるように仕様（材質又は厚さ寸法など）が設定されている。
【００３３】
ここで、複数の電極８６Ａは、全てが一方の端（図６では上端）で接続された櫛歯状の構成となっており、リード線８７Ａによって交流電源８３の一方の端子に接続されている（図９（ａ）参照）。また、複数の電極８６Ｂは、全てが他方の端（図６では下端）で接続された櫛歯状の構成となっており、リード線８７Ｂによって検出回路８２の一方の端子に接続されている（図９（ａ）参照）。
こうして、センサヘッド８１は、対を成す電極８６Ａと電極８６Ｂに電荷を蓄積することが可能な構成となっており、検出回路８２を介して交流電源８３に接続されたシート状のコンデンサを構成している。なお、センサヘッド８１は、インダクタンスや抵抗としての性質も併せ持ち、等価回路は図９（ｂ）に示すように、抵抗とコイル（インダクタンス）とコンデンサを直列に接続したものとなる。
【００３４】
次に検出回路８２は、その他方の端子が交流電源８３の他方の端子に接続されており、交流電源８３の他方の端子とリード線８７Ｂを接続してセンサヘッド８１に交流電圧を印加する。また検出回路８２は、センサヘッド８１に流れる電流と印加される電圧の波形（位相差）に基づいてセンサヘッド８１の電気容量の変化を監視し、その変化が既定のしきい値を越えると、不正が発生したこと（不正の準備作業が行われたこと）を示す不正検出信号を出力する機能を有する。
【００３５】
検出回路８２の回路構成としては既存の技術が利用でき、その構成が限定されるものではないので、検出回路８２の回路構成については説明を省略するが、不正検出センサ８０全体の検出原理は以下のとおりである。即ち、不正行為のために前面開閉パネル１５に穴が開けられるか、穴を開けようとしてと前面開閉パネル１５が部分的に破壊されると、これに伴ってセンサヘッド８１も破壊され、破壊された部分がコンデンサとして無効になる。例えば、図９（ａ）に符号Ｓ１で示す円形領域（センサヘッド８１の幅寸法よりも小さい領域）が破壊され電極８６Ａや電極８６Ｂがその円形領域Ｓ１において破断すると、その円形領域Ｓ１を含む長方形領域Ｓ２（センサヘッド８１の幅方向、即ち各電極８６Ａ，８６Ｂの長手方向の全体に拡がる領域）の約半分が無効になる。このため、センサヘッド８１が構成するコンデンサとしての容量が格段に低下し、センサヘッド８１に流れる電流と印加される電圧の位相差φ（図１０に示す）が、正常時に比較して顕著に変化する。そして検出回路８２は、この位相差φの変化をしきい値と比較することで判定し、例えばしきい値を超える変化があった時に、前記不正検出信号を出力する。
【００３６】
なお、上記検出回路８２における判定は、例えば周期的に行えばよいが、一回の判定タイミングで容量変化（例えば、位相差φのしきい値を超える変化）が判定されても、即座に不正検出信号をアクティブとしないで、既定回数（例えば４回）以上連続して容量変化が判定されたときに不正検出信号をアクティブとする構成としてもよい。このようにすると、ノイズ等による誤判定が防止される。
【００３７】
Ｆ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、客待ち画面の表示を指令する表示制御コマンドが遊技制御装置１００から表示制御装置１１０に送信され、演出表示装置３４の画面３４ａには客待ち画面（動画又は静止画）が表示される。
【００３８】
そして、ガイドレール３２を介して遊技領域３３に打込まれた遊技球が、特図の始動入賞口３６に入賞すると（即ち、特図の始動入賞があると）、特図の変動表示を指令する表示制御コマンドが遊技制御装置１００から表示制御装置１１０に送信され、表示装置３４の画面３４ａにおいて特図（数字、文字、記号、模様等よりなるもの）が変動（例えば、スクロール）する表示（いわゆる変動表示）が行われて、変動表示ゲームが行われる。
【００３９】
そして、この変動表示ゲームの停止表示態様（変動表示により導出された特図の組合せ）が特定の態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。また、変動表示ゲームの停止表示態様が特定の態様（例えば、「７、７、７」などのゾロ目）であれば、上記大当りになるとともに、大当り遊技後（後述する開放動作後）に、大当りになる確率を高める制御が行われる状態（確率変動状態）となる。
【００４０】
この大当りになると、変動入賞装置３５の大入賞口３５ａが、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画面の表示を指令する表示制御コマンドが遊技制御装置１００から表示制御装置１１０に送信され、表示装置３４の画面３４ａでは、このような大当たり中の表示が実行される。
【００４１】
また、上記特図の変動表示ゲーム中又は大当り中に、何れかの始動入賞口にさらに遊技球が入賞したときには、図示省略した特図記憶表示器で特図始動記憶表示が行われてこの場合４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００４２】
一方、遊技中に、遊技球が普図始動ゲート３８を通過したときは、普図表示装置３７での普図の変動表示による普図の変動表示ゲームが行われる。そして、この変動表示ゲーム結果（停止した普図）が所定の態様であれば、普図当りと呼ばれる遊技価値（特典）が付与される。
この普図当りになると、始動入賞口３６の一対の開閉部材が逆ハの字に開いた開放状態に、例えば０．５秒程度保持される遊技が行われる。これにより、始動入賞口３６に遊技球が入賞し易くなり、その分、特図の変動表示ゲームの実施回数が増えて大当りになる可能性が増す。
また、上記普図の変動表示ゲーム中に、普図始動ゲート３８にさらに遊技球が入賞したときには、図示省略した普図記憶表示器で普図始動記憶表示が実行されてこの場合４個まで記憶され、普図の変動表示ゲームの終了後に、その記憶に基づいて上記普図の変動表示ゲームが繰り返される。
【００４３】
以上説明した本例の遊技機によれば、表面構成部材である前面開閉パネル１５の不正工作による破壊（例えば穴あけ）に伴い、前面開閉パネル１５に設けられたセンサヘッド８１（コンデンサ）が破壊され、これによるセンサヘッド８１のコンデンサとしての容量変化に基づいて検出回路８２（不正検出手段）が不正を検出する。このため、ピアノ線等を樹脂コーティングするなどして導体検出ができない場合であっても不正検出が可能であり、不正工作が行われたことを確実に検出することができる。したがって、該不正工作に基づいて遊技機から不当に遊技球を獲得する不正行為を信頼性高く防止できる。
【００４４】
また、本例の遊技機では、センサヘッド８１が、シート状である。このため、一つのセンサヘッド８１で不正行為を検出できる面積が広くなり、不正防止の実効性や実用性がより高まる。
また、本例の遊技機では、センサヘッド８１は、相互に接続された複数の帯状の電極８６Ａ（電極Ａ）と、相互に接続された複数の帯状の電極８６Ｂ（電極Ｂ）とが、交互に並んで配置されてなる。このため、例えば不正工作によって穴が開けられると、その部分の電極８６Ａ，８６Ｂの連続性が破断されることで、その穴が開けられた領域Ｓ１を含む長方形領域Ｓ２（各電極の長手方向全体に拡がる領域）の約半分が無効になり、コンデンサとしての容量が格段に低下する。このため、容量変化に基づく不正検出の判定（不正工作が行われたか否かの判定）が、容易になり、その応答性や信頼性も高く実現できる。なお、櫛歯状の電極８６Ａ，８６Ｂの向き（長手方向）を、シート状のセンサヘッド８１の長手方向とすると、不正工作時の無効領域が特に大きくなり、検出性能が向上する。
【００４５】
（第２形態例）
次に、第２形態例を図１１〜図１３によって説明する。この第２形態例は、第１形態例におけるセンサヘッド８１を、異なるセンサヘッド９１で置き換えたものである。図１１は、センサヘッド９１の電極等を示す斜視図、図１２はセンサヘッド９１を示す断面図（不正工作が行われていない通常状態）、図１３はセンサヘッド９１を示す断面図（不正工作が行われた状態）である。
本例のセンサヘッド９１は、図１２に示すように、有底箱型の収納部材９２の内部に、シート状の電極９３Ａ（電極Ａ）と絶縁性シート９４とシート状の電極９３Ｂ（電極Ｂ）を、一定間隔をおいて順次重ねて配置した積層構造となっており、収納部材９２の内部（各電極の両側の隙間等）には、絶縁性液体９５が充填されている。このセンサヘッド９１は、前面開閉パネル１５のパネル本体６１の裏面、又は前面開閉パネル１５の前面板６２の裏面（前面板６２とパネル本体６１の間）に取り付けられる全体として長方形状のもので、図１１に示すように、前面開閉パネル１５の球排出口６４などに対応する不要な箇所は切り取られた形状となっている。またこのセンサヘッド９１は、少なくとも収納部材９２が前面開閉パネル１５の破壊（穴あけなど）に伴って容易に壊れるように、その仕様（材質又は厚さ寸法など）が設定されている。
【００４６】
ここで、絶縁性液体９５としては、絶縁油がある。絶縁油には、合成油（シリコーン油、菜種エステル油、ポリ−α−オレフィン油など）や、鉱油などがある。
また、電極９４Ａと電極９４Ｂは、第１形態例と同様に、図示省略したリード線によって交流電源８３の一方の端子、或いは検出回路８２の一方の端子に接続されている。
こうして、センサヘッド９１は、対を成す電極９３Ａと電極９３Ｂに電荷を蓄積することが可能な構成となっており、検出回路８２を介して交流電源８３に接続されたシート状のコンデンサを構成している。
【００４７】
なお、上記センサヘッド９１による検出原理は次のとおりである。即ち、不正行為のために前面開閉パネル１５に穴が開けられるか、穴を開けようとしてと前面開閉パネル１５が部分的に破壊されると、これに伴ってセンサヘッド９１の収納部材９２も破壊され、例えば図１３に示すような穴９６が開いてしまう。すると、この穴９６から絶縁性液体９５が漏れて、センサヘッド９１内（即ち、収納部材９２内）の絶縁性液体９５の量が格段に少なくなる。このため、センサヘッド９１が構成するコンデンサとしての容量が格段に低下し、センサヘッド９１に流れる電流と印加される電圧の位相差φ（図１０に示す）が、正常時に比較して顕著に変化する。そして検出回路８２は、この位相差φの変化をしきい値と比較することで判定し、例えばしきい値を超える変化があった時に、前記不正検出信号を出力する。
また、図１２等に示す収納部材９２は、上面が開口しているが、絶縁性液体９５が充填可能であり、絶縁性液体９５が漏れるときの空気導入口が確保できれば、上面が閉じた構成でもよい。また、例えば収納部材９２を収納する部材をさらに設けて、漏れた絶縁性液体９５が外部に漏洩しない構成としてもよい。
【００４８】
以上説明した第２形態例の遊技機では、センサヘッド９１（コンデンサ）は、対をなすシート状の電極９４Ａ，９４Ｂ（電極Ａ，Ｂ）が収納部材９２内に間隔をおいて重ねて配置され、前記収納部材９２内に絶縁性液体９５が充填されてなる。このため、穴を開ける等の不正工作が行われた場合、電極９４Ａ，９４Ｂが破壊される前に、収納部材９２が破壊され、この収納部材９２内の絶縁性液体９５が収納部材９２から漏れ出し、この時点でコンデンサとしての容量が格段に低下する。このため、容量変化に基づく不正検出の判定（不正工作が行われたか否かの判定）が、容易になり、その応答性や信頼性も高く実現できる。
なお、絶縁性液体９５は誘電体として作用するから、絶縁性液体９５の流出は、電極９４Ａ，９４Ｂ間の誘電体の有無の変化、つまり比誘電率の変化となる。このため、絶縁性液体９５の流出による比誘電率の変化（ひいてはコンデンサ容量変化）は、コンデンサの電極９４Ａ，９４Ｂの一部面積破壊に比較して、大きな変化量となる。したがって本例によれば、不正検出の性能が特に高くなる。
【００４９】
また本例の遊技機では、収納部材９２を収納する部材をさらに設けて、絶縁性液体９５を膨出構造内に留めることで、不正検出を不正工作者に知らしめることなく該不正工作者を確保することもできる。また、絶縁性液体９５が漏れ出すことによる遊技者の衣服等の汚損を防止できる。
また逆に、積極的に絶縁性液体９５が例えば遊技機前面側に漏れ出す構成とするとともに、絶縁性液体９５に着色を施したり、異臭のある絶縁性液体９５とすることによって、不正工作者を威嚇けん制するとともに、不正工作が行われたことを他の遊技者や遊技店の係員に報知することもできる。
【００５０】
なお、本発明は上述した形態例に限られず、各種の変形や応用があり得る。
例えば上記形態例では、本発明の不正検出手段として、電圧と電流の位相差によってコンデンサの容量変化を検知する前記検出回路８２を使用しているが、これに限られず、容量変化を検知できる回路であれば、いかなるものでも適用可能である。
また、上記形態例では、コンデンサを設ける表面構成部材として、前面開閉パネルを例に挙げたが、これに限られず、例えばガラス枠や前面枠などに設けてもよい。
【００５１】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５２】
【図１】パチンコ機の正面図である。
【図２】遊技盤の正面図である。
【図３】パチンコ機の前面枠とガラス枠と前面開閉パネルを開けた状態を示す斜視図である。
【図４】前面開閉パネルの斜視図である。
【図５】前面開閉パネルの裏面斜視図である。
【図６】不正検出センサのセンサヘッド（コンデンサ）を示す斜視図である。
【図７】制御系統全体のブロック図である。
【図８】発射制御装置に関連する制御系を示すブロック図である。
【図９】（ａ）は不正検出センサの回路図、（ｂ）は不正検出センサの等価回路の回路図である。
【図１０】不正検出センサの原理を説明する図である。
【図１１】センサヘッドの電極等を示す斜視図である。
【図１２】センサヘッドの断面図（不正工作が行われていない通常状態）である。
【図１３】センサヘッドの断面図（不正工作が行われた状態）である。
【符号の説明】
【００５３】
２  遊技機
１０  遊技盤
１１  前面枠（表面構成部材）
１３  ガラス枠（表面構成部材）
１４  ガラス板（表面構成部材）
１５  前面開閉パネル（表面構成部材）
１６  操作パネル（表面構成部材）
８１、９１  センサヘッド（コンデンサ）
８２  検出回路（不正検出手段）
８６Ａ  電極（帯状の電極Ａ）
８６Ｂ  電極（帯状の電極Ｂ）
９２  収納部材
９３Ａ  電極（シート状の電極Ａ）
９３Ｂ  電極（シート状の電極Ｂ）
９５  絶縁性液体
【図１】
2007105362.tif 000003
【図２】
2007105362.tif 000004
【図３】
2007105362.tif 000005
【図４】
2007105362.tif 000006
【図５】
2007105362.tif 000007
【図６】
2007105362.tif 000008
【図７】
2007105362.tif 000009
【図８】
2007105362.tif 000010
【図９】
2007105362.tif 000011
【図１０】
2007105362.tif 000012
【図１１】
2007105362.tif 000013
【図１２】
2007105362.tif 000014
【図１３】
2007105362.tif 000015